(57)【要約】【課題】  ボイスメールシステムにおいて、機能を向上させ、利便性を高める。【解決手段】  ボイスメール端末２１は、ボイスメール端末１１から送信されたボイスメール（Ａ）が受信されると、ボイスメール（Ａ）に対して自端末にて作成されたボイスメール（Ｂ）を付加してボイスメール（Ａ）をボイスメール端末１１に返信する。ボイスメール端末１１は、ボイスメール端末２１から返信されたボイスメール（Ａ）が受信されると、ボイスメール（Ａ）を再生して音声（Ａ）を出力すると共に、ボイスメール（Ｂ）を再生して音声（Ｂ）を出力する。【選択図】  図１
2005073046.tif 000002
【特許請求の範囲】
【請求項１】
複数のボイスメール端末間でボイスメールを送受信するように構成されたボイスメールシステムであって、
第１のボイスメール端末は、自端末にて作成されたボイスメールを第２のボイスメール端末に送信し、
第２のボイスメール端末は、第１のボイスメール端末から送信されたボイスメールが受信されると、その受信されたボイスメールに対して自端末にて作成されたボイスメールを付加し、そのボイスメールが付加されたボイスメールを第１のボイスメール端末に返信し、
第１のボイスメール端末は、第２のボイスメール端末から返信されたボイスメールが受信されると、その受信されたボイスメールを再生して音声を出力すると共に、その受信されたボイスメールに付加されたボイスメールを再生して音声を出力するように構成されていることを特徴とするボイスメールシステム。
【請求項２】
他のボイスメール端末から送信されたボイスメールを受信するボイスメール受信手段と、
他のボイスメール端末から送信されて前記ボイスメール受信手段に受信されたボイスメールを他のボイスメール端末に返信するボイスメール返信手段と、
音声を入力する音声入力手段と、
前記音声入力手段に入力された音声のボイスメールを作成するボイスメール作成手段と、
他のボイスメール端末から送信されたボイスメールが前記ボイスメール受信手段に受信されると、その受信されたボイスメールに対して前記ボイスメール作成手段により作成されたボイスメールを付加し、そのボイスメールが付加されたボイスメールを前記ボイスメール返信手段から他のボイスメール端末に返信させる制御手段とを備えたことを特徴とするボイスメール端末。
【請求項３】
音声を入力する音声入力手段と、
前記音声入力手段に入力された音声のボイスメールを作成するボイスメール作成手段と、
前記ボイスメール作成手段により作成されたボイスメールを他のボイスメール端末に送信するボイスメール送信手段と、
他のボイスメール端末から返信されたボイスメールを受信するボイスメール受信手段と、
音声を出力する音声出力手段と、
他のボイスメール端末から返信されたボイスメールが前記ボイスメール受信手段に受信されると、その受信されたボイスメールを再生して前記音声出力手段から音声を出力させると共に、その受信されたボイスメールに付加されたボイスメールを再生して前記音声出力手段から音声を出力させる制御手段とを備えたことを特徴とするボイスメール端末。
【請求項４】
複数のボイスメール端末間でボイスメールを送受信するように構成されたボイスメールシステムであって、
第１のボイスメール端末は、自端末にて作成されたボイスメールに対して識別子を付加し、その識別子が付加されたボイスメールを第２のボイスメール端末に送信し、
第２のボイスメール端末は、第１のボイスメール端末から送信されたボイスメールが受信されると、自端末にて作成されたボイスメールに対して第１のボイスメール端末から受信されたボイスメールに付加された識別子と同一の識別子を付加し、その識別子が付加されたボイスメールを第１のボイスメール端末に送信し、
第１のボイスメール端末は、第２のボイスメール端末から送信されたボイスメールが受信されると、その受信されたボイスメールに付加された識別子と自端末にて作成されて第２のボイスメール端末に送信されたボイスメールに付加された識別子とが同一であるときに、自端末にて作成されて第２のボイスメール端末に送信されたボイスメールを再生して音声を出力すると共に、第２のボイスメール端末から受信されたボイスメールを再生して音声を出力するように構成されていることを特徴とするボイスメールシステム。
【請求項５】
他のボイスメール端末から送信されたボイスメールを受信するボイスメール受信手段と、
音声を入力する音声入力手段と、
前記音声入力手段に入力された音声のボイスメールを作成するボイスメール作成手段と、
前記ボイスメール作成手段により作成されたボイスメールを他のボイスメール端末に送信するボイスメール送信手段と、
他のボイスメール端末から送信されたボイスメールが前記ボイスメール受信手段に受信されると、前記ボイスメール作成手段により作成されたボイスメールに対して他のボイスメール端末から送信されて前記ボイスメール受信手段に受信されたボイスメールに付加された識別子と同一の識別子を付加し、その識別子が付加されたボイスメールを前記ボイスメール送信手段から他のボイスメール端末に送信させる制御手段とを備えたことを特徴とするボイスメール端末。
【請求項６】
音声を入力する音声入力手段と、
前記音声入力手段に入力された音声のボイスメールを作成するボイスメール作成手段と、
前記ボイスメール作成手段により作成されたボイスメールを他のボイスメール端末に送信するボイスメール送信手段と、
他のボイスメール端末から送信されたボイスメールを受信するボイスメール受信手段と、
音声を出力する音声出力手段と、
前記ボイスメール作成手段により作成されたボイスメールに対して識別子を付加し、その識別子が付加されたボイスメールを前記ボイスメール送信手段から他のボイスメール端末に送信させ、他のボイスメール端末から送信されたボイスメールが前記ボイスメール受信手段に受信されると、その受信されたボイスメールに付加された識別子と前記ボイスメール作成手段により作成されて前記ボイスメール送信手段から他のボイスメール端末に送信されたボイスメールに付加された識別子とが同一であるときに、前記ボイスメール作成手段により作成されて前記ボイスメール送信手段から他のボイスメール端末に送信されたボイスメールを再生して前記音声出力手段から音声を出力させると共に、他のボイスメール端末から送信されて前記ボイスメール受信手段に受信されたボイスメールを再生して前記音声出力手段から音声を出力させる制御手段とを備えたことを特徴とするボイスメール端末。
【請求項７】
複数のボイスメール端末間でボイスメールを送受信するように構成されたボイスメールシステムであって、
第１のボイスメール端末は、自端末にて作成されたボイスメールに対して音楽データを付加し、その音楽データが付加されたボイスメールを第２のボイスメール端末に送信し、
第２のボイスメール端末は、第１のボイスメール端末から送信されたボイスメールが受信されると、その受信されたボイスメールを再生して音声を出力すると共に、その受信されたボイスメールに付加された音楽データを再生して音楽を出力するように構成されていることを特徴とするボイスメールシステム。
【請求項８】
音声を入力する音声入力手段と、
前記音声入力手段に入力された音声のボイスメールを作成するボイスメール作成手段と、
前記ボイスメール作成手段により作成されたボイスメールを他のボイスメール端末に送信するボイスメール送信手段と、
前記ボイスメール作成手段により作成されたボイスメールに対して音楽データを付加し、その音楽データが付加されたボイスメールを前記ボイスメール送信手段から他のボイスメール端末に送信させる制御手段とを備えたことを特徴とするボイスメール端末。
【請求項９】
他のボイスメール端末から送信されたボイスメールを受信するボイスメール受信手段と、
音声を出力する音声出力手段と、
音楽を出力する音楽出力手段と、
他のボイスメール端末から送信されたボイスメールが前記ボイスメール受信手段に受信されると、その受信されたボイスメールを再生して前記音声出力手段から音声を出力させると共に、その受信されたボイスメールに付加された音楽データを再生して前記音楽出力手段から音楽を出力させる制御手段とを備えたことを特徴とするボイスメール端末。
【発明の詳細な説明】
【技術分野】
【０００１】
本発明は、複数のボイスメール端末間でボイスメールを送受信するように構成されたボイスメールシステムおよびボイスメール端末に関する。
【背景技術】
【０００２】
従来より、複数のボイスメール端末間でボイスメールを送受信するように構成されたボイスメールシステムがある（例えば特許文献１参照）。
【特許文献１】特開２００２−２９０５５７号公報
【発明の開示】
【発明が解決しようとする課題】
【０００３】
しかしながら、従来のボイスメールシステムでは、テキストデータや画像データを送受信する通常の電子メールシステムと比較すると、機能が貧弱であることは否めず、機能を向上させることが要望されていた。
【０００４】
本発明は、上記した事情に鑑みてなされたものであり、その目的は、機能を向上させることにより、利便性を高めることができるボイスメールシステムおよびボイスメール端末を提供することにある。
【課題を解決するための手段】
【０００５】
請求項１に記載したボイスメールシステムによれば、第１のボイスメール端末は、自端末にて作成されたボイスメールを第２のボイスメール端末に送信する。次いで、第２のボイスメール端末は、第１のボイスメール端末から送信されたボイスメールが受信されると、その受信されたボイスメールに対して自端末にて作成されたボイスメールを付加し、そのボイスメールが付加されたボイスメールを第１のボイスメール端末に返信する。そして、第１のボイスメール端末は、第２のボイスメール端末から返信されたボイスメールが受信されると、その受信されたボイスメールを再生して音声を出力すると共に、その受信されたボイスメールに付加されたボイスメールを再生して音声を出力する。
【０００６】
したがって、第２のボイスメール端末を使用するユーザは、相手から送信されたボイスメールが受信されると、相手のボイスメールに対して自分のボイスメールを付加して相手のボイスメールを返信することができる。一方、第１のボイスメール端末を使用するユーザは、相手から返信されたボイスメールが受信されると、相手のボイスメールが再生されることで相手の音声を聞くことができると共に、自分のボイスメールが再生されることで自分の音声をも聞くことができる。これにより、ボイスメールシステムに通常の電子メールシステムにおける返信機能と同様の機能を持たせることができ、利便性を高めることができる。
【０００７】
尚、この場合、第１のボイスメール端末が、最初に第２のボイスメール端末から返信されたボイスメール、つまり、自分のボイスメールを再生し、続いて第２のボイスメール端末から返信されたボイスメールに付加されたボイスメール、つまり、相手のボイスメールを再生する構成であれば、第１のボイスメール端末を使用するユーザは、最初に自分の音声を聞くことができ、続いて相手の音声を聞くことできる。
【０００８】
これに対して、第１のボイスメール端末が、最初に第２のボイスメール端末から返信されたボイスメールに付加されたボイスメール、つまり、相手のボイスメールを再生し、続いて第２のボイスメール端末から返信されたボイスメール、つまり、自分のボイスメールを再生する構成であれば、第１のボイスメール端末を使用するユーザは、最初に相手の音声を聞くことができ、続いて自分の音声を聞くことできる。
【０００９】
請求項２に記載したボイスメール端末によれば、制御手段は、他のボイスメール端末から送信されたボイスメールがボイスメール受信手段に受信されると、その受信されたボイスメールに対してボイスメール作成手段により作成されたボイスメールを付加し、そのボイスメールが付加されたボイスメールをボイスメール返信手段から他のボイスメール端末に返信させる。
【００１０】
これにより、当該ボイスメール端末を上記した請求項１に記載したボイスメールシステムにおける第２のボイスメール端末として機能させることができ、当該ボイスメール端末を使用するユーザは、相手から送信されたボイスメールが受信されると、相手のボイスメールに対して自分のボイスメールを付加して相手のボイスメールを返信することができる。
【００１１】
請求項３に記載したボイスメール端末によれば、制御手段は、他のボイスメール端末から返信されたボイスメールがボイスメール受信手段に受信されると、その受信されたボイスメールを再生して音声出力手段から音声を出力させると共に、その受信されたボイスメールに付加されたボイスメールを再生して音声出力手段から音声を出力させる。
【００１２】
これにより、当該ボイスメール端末を上記した請求項１に記載したボイスメールシステムにおける第１のボイスメール端末として機能させることができ、当該ボイスメール端末を使用するユーザは、相手から返信されたボイスメールが受信されると、相手のボイスメールが再生されることで相手の音声を聞くことができると共に、自分のボイスメールが再生されることで自分の音声をも聞くことができる。
【００１３】
請求項４に記載したボイスメールシステムによれば、第１のボイスメール端末は、自端末にて作成されたボイスメールに対して識別子を付加し、その識別子が付加されたボイスメールを第２のボイスメール端末に送信する。次いで、第２のボイスメール端末は、第１のボイスメール端末から送信されたボイスメールが受信されると、自端末にて作成されたボイスメールに対して第１のボイスメール端末から受信されたボイスメールに付加された識別子と同一の識別子を付加し、その識別子が付加されたボイスメールを第１のボイスメール端末に送信する。そして、第１のボイスメール端末は、第２のボイスメール端末から送信されたボイスメールが受信されると、その受信されたボイスメールに付加された識別子と自端末にて作成されて第２のボイスメール端末に送信されたボイスメールに付加された識別子とが同一であると、自端末にて作成されて第２のボイスメール端末に送信されたボイスメールを再生して音声を出力すると共に、第２のボイスメール端末から受信されたボイスメールを再生して音声を出力する。
【００１４】
したがって、第２のボイスメール端末を使用するユーザは、相手から送信されたボイスメールが受信されると、自分のボイスメールに対して相手のボイスメールに付加された識別子と同一の識別子を付加して自分のボイスメールを送信することができる。一方、第１のボイスメール端末を使用するユーザは、相手から送信されたボイスメールが受信されると、相手のボイスメールに付加された識別子と自分のボイスメールに付加された識別子とが同一であれば、この場合も、相手のボイスメールが再生されることで相手の音声を聞くことができると共に、自分のボイスメールが再生されることで自分の音声をも聞くことができる。これにより、上記した請求項１に記載したものと同様の作用効果を得ることができ、利便性を高めることができる。
【００１５】
尚、この場合、第１のボイスメール端末が、最初に自端末にて作成されて第２のボイスメール端末に送信されたボイスメール、つまり、自分のボイスメールを再生し、続いて第２のボイスメール端末から送信されて受信されたボイスメール、つまり、相手のボイスメールを再生する構成であれば、第１のボイスメール端末を使用するユーザは、最初に自分の音声を聞くことができ、続いて相手の音声を聞くことできる。
【００１６】
これに対して、第１のボイスメール端末が、最初に第２のボイスメール端末から送信されて受信されたボイスメール、つまり、相手のボイスメールを再生し、続いて自端末にて作成されて第２のボイスメール端末に送信されたボイスメール、つまり、自分のボイスメールを再生する構成であれば、第１のボイスメール端末を使用するユーザは、最初に相手の音声を聞くことができ、続いて自分の音声を聞くことできる。
【００１７】
請求項５に記載したボイスメール端末によれば、制御手段は、他のボイスメール端末から送信されたボイスメールがボイスメール受信手段に受信されると、ボイスメール作成手段により作成されたボイスメールに対して他のボイスメール端末から送信されてボイスメール受信手段に受信されたボイスメールに付加された識別子と同一の識別子を付加し、その識別子が付加されたボイスメールをボイスメール送信手段から他のボイスメール端末に送信させる。
【００１８】
これにより、当該ボイスメール端末を上記した請求項４に記載したボイスメールシステムにおける第２のボイスメール端末として機能させることができ、当該ボイスメール端末を使用するユーザは、相手から送信されたボイスメールが受信されると、自分のボイスメールに対して相手のボイスメールに付加された識別子と同一の識別子を付加して自分のボイスメールを送信することができる。
【００１９】
請求項６に記載したボイスメール端末によれば、制御手段は、ボイスメール作成手段により作成されたボイスメールに対して識別子を付加し、その識別子が付加されたボイスメールをボイスメール送信手段から他のボイスメール端末に送信させ、他のボイスメール端末から送信されたボイスメールがボイスメール受信手段に受信されると、その受信されたボイスメールに付加された識別子とボイスメール作成手段により作成されたボイスメールに付加された識別子とが同一であると、ボイスメール作成手段により作成されてボイスメール送信手段から他のボイスメール端末に送信されたボイスメールを再生して音声出力手段から音声を出力させると共に、他のボイスメール端末からボイスメール受信手段に受信されたボイスメールを再生して音声出力手段から音声を出力させる。
【００２０】
これにより、当該ボイスメール端末を上記した請求項４に記載したボイスメールシステムにおける第１のボイスメール端末として機能させることができ、当該ボイスメール端末を使用するユーザは、相手から送信されたボイスメールが受信されると、相手のボイスメールに付加された識別子と自分のボイスメールに付加された識別子とが同一であれば、相手のボイスメールが再生されることで相手の音声を聞くことができると共に、自分のボイスメールが再生されることで自分の音声をも聞くことができる。
【００２１】
請求項７に記載したボイスメールシステムによれば、第１のボイスメール端末は、自端末にて作成されたボイスメールに対して音楽データを付加し、その音楽データが付加されたボイスメールを第２のボイスメール端末に送信する。そして、第２のボイスメール端末は、第１のボイスメール端末から送信されたボイスメールが受信されると、その受信されたボイスメールを再生して音声を出力すると共に、その受信されたボイスメールに付加された音楽データを再生して音楽を出力する。
【００２２】
したがって、第１のボイスメール端末を使用するユーザは、ボイスメールに対して好みの音楽データを付加してボイスメールを送信することができる。一方、第２のボイスメール端末を使用するユーザは、ボイスメールが受信されると、ボイスメールが再生されることで音声を聞くことができると共に、音楽データが再生されることで音楽をも聞くことができる。これにより、ボイスメールに付加価値を持たせることができ、利便性を高めることができる。
【００２３】
尚、この場合、第２のボイスメール端末が、最初に音楽データを再生し、続いてボイスメールを再生する構成であれば、第１のボイスメール端末を使用するユーザは、自分を特定させるための音楽データを採用することにより、音声が出力されるのに先立って、ボイスメールの発信元（送信者）が自分である旨を音楽で相手に知らせることができる。尚、ここでいう音楽は、このようにボイスメールの発信元を特定させるために使用されるものであっても良いし、ボイスメールの内容（雰囲気）に適したものであっても良い。
【００２４】
請求項８に記載したボイスメール端末によれば、制御手段は、ボイスメール作成手段により作成されたボイスメールに対して音楽データを付加し、その音楽データが付加されたボイスメールをボイスメール送信手段から他のボイスメール端末に送信させる。
【００２５】
これにより、当該ボイスメール端末を上記した請求項７に記載したボイスメールシステムにおける第１のボイスメール端末として機能させることができ、当該ボイスメール端末を使用するユーザは、ボイスメールに対して好みの音楽データを付加してボイスメールを送信することができる。
【００２６】
請求項９に記載したボイスメール端末によれば、制御手段は、他のボイスメール端末から送信されたボイスメールがボイスメール受信手段に受信されると、その受信されたボイスメールを再生して音声を音声出力手段から出力させると共に、その受信されたボイスメールに付加された音楽データを再生して音楽を音楽出力手段から出力させる。
【００２７】
これにより、当該ボイスメール端末を上記した請求項７に記載したボイスメールシステムにおける第２のボイスメール端末として機能させることができ、当該ボイスメール端末を使用するユーザは、ボイスメールが受信されると、ボイスメールが再生されることで音声を聞くことができると共に、音楽データが再生されることで音楽をも聞くことができる。
【発明を実施するための最良の形態】
【００２８】
（第１の実施形態）
以下、本発明の第１の実施形態について、図１ないし図３を参照して説明する。この第１の実施形態は、本発明でいう請求項１ないし請求項３に対応する。図１は、ボイスメールシステムの全体構成を概略的に示している。ボイスメールシステム１は、ボイスメール端末１１と、ボイスメール端末２１と、ボイスメールサーバ２とを備えて構成されている。これ以降、ボイスメール端末１１を本発明の請求項１でいう第１のボイスメール端末（本発明の請求項３に記載したボイスメール端末）として説明し、ボイスメール端末２１を本発明の請求項１でいう第２のボイスメール端末（本発明の請求項２に記載したボイスメール端末）として説明する。
【００２９】
ボイスメール端末１１は、制御部１２（本発明でいう制御手段、ボイスメール作成手段）と、ボイスメールサーバ２との間で無線通信を行う無線通信部１３（本発明でいうボイスメール送信手段、ボイスメール受信手段）と、音声を入力する音声入力部１４（本発明でいう音声入力手段）と、音声を出力する音声出力部１５（本発明でいう音声出力手段）と、表示画面を表示する表示部１６と、例えば表示部１６に表示される各種のタッチボタンから形成される操作受付部１７と、ボイスメールを記憶する記憶部１８とを備えて構成されている。
【００３０】
制御部１２は、ＣＰＵ、ＲＯＭ、ＲＡＭおよびＩ／Ｏバスなどを備えて構成されており、制御プログラムを実行してボイスメール端末１１の動作全般を制御する。記憶部１８は、その記憶領域として、他のボイスメール端末から受信されたボイスメールを記憶する受信記憶領域１８ａと、未送信のボイスメールを記憶する送信記憶領域１８ｂと、送信済みのボイスメールを記憶する送信済み記憶領域１８ｃと、受信記憶領域１８ａや送信済み記憶領域１８ｃから削除されたボイスメールを記憶する削除済み記憶領域１８ｄとを備えて構成されている。
【００３１】
ボイスメール端末２１は、上記したボイスメール端末１１と同一の構成となっており、制御部２２（本発明でいう制御手段、ボイスメール作成手段）と、無線通信部２３（本発明でいうボイスメール返信手段、ボイスメール受信手段）と、音声入力部２４（本発明でいう音声入力手段）と、音声出力部２５と、表示部２６と、操作受付部２７と、記憶部２８とを備えて構成されている。これら各部２２〜２８は、ボイスメール端末１１の各部１２〜１８に対応する。
【００３２】
ボイスメールサーバ２は、ボイスメール端末１１，２１との間で通信回線（リンク）を確立すると、その通信回線が確立されたボイスメール端末を宛先とするボイスメールを蓄積しているか否かを判定し、その通信回線が確立されたボイスメール端末を宛先とする未送信のボイスメールを蓄積している旨を検出すると、該当するボイスメールをボイスメール端末に送信すると共に、ボイスメール端末からボイスメールが受信されると、そのボイスメールを蓄積するように構成されている。
【００３３】
尚、上記した構成において、ボイスメール端末１１およびボイスメール端末２１は、車両に搭載可能な車載端末や人が携帯可能な携帯情報端末から構成されており、車載端末から構成されている場合であれば、その一部または全体がカーナビゲーション装置から構成されていても良い。
【００３４】
次に、上記した構成の作用について、図２および図３を参照して説明する。ここでは、
（１）ボイスメール端末１１がボイスメールをボイスメール端末２１に送信する場合
（２）ボイスメール端末２１がボイスメール端末１１から受信されたボイスメールをボイ
スメール端末１１に返信する場合
について順次説明する。ここで、図２は、ボイスメール端末１１の制御部１２が行う処理をフローチャートとして示しており、図３は、ボイスメール端末２１の制御部２２が行う処理をフローチャートとして示している。
【００３５】
（１）ボイスメール端末１１がボイスメールをボイスメール端末２１に送信する場合
最初に、「ボイスメール端末１１がボイスメールをボイスメール端末２１に送信する場合」について説明する。
【００３６】
ボイスメール端末１１において、制御部１２は、ボイスメール端末１１を使用するユーザから発せられた音声（図１では「音声（Ａ）」）が音声入力部１４に入力された旨を検出すると（ステップＳ１にて「ＹＥＳ」）、その入力された音声を解析してボイスメール（図１では「ボイスメール（Ａ）」）を作成する（ステップＳ２）。そして、制御部１２は、その作成されたボイスメールを記憶部１８の送信記憶領域１８ｂに記憶させる（ステップＳ３）。
【００３７】
次いで、制御部１２は、ボイスメールを送信する操作が操作受付部１７にて操作された旨を検出すると（ステップＳ４にて「ＹＥＳ」）、無線通信部１３にボイスメールサーバ２との間で通信回線を確立させ（ステップＳ５）、記憶部１８の送信記憶領域１８ｂに記憶されているボイスメールを無線通信部１３からボイスメールサーバ２に送信させる（ステップＳ６）。そして、制御部１２は、ボイスメールのボイスメールサーバ２への送信を完了すると、記憶部１８の送信記憶領域１８ｂに記憶されているボイスメールを送信済み記憶領域１８ｃに転送させ（ステップＳ７）、無線通信部１３にボイスメールサーバ２との間で通信回線を開放させる（ステップＳ８）。
【００３８】
一方、ボイスメール端末２１において、制御部２２は、ボイスメールを受信する操作が操作受付部２７にて操作された旨を検出すると（ステップＴ１にて「ＹＥＳ」）、無線通信部２３にボイスメールサーバ２との間で通信回線を確立させ（ステップＴ２）、ボイスメールサーバ２から自端末を宛先とするボイスメールを無線通信部２３に受信させ（ステップＴ３）、その受信されたボイスメールを記憶部２８の受信記憶領域２８ａに記憶させる（ステップＴ４）。そして、制御部２２は、ボイスメールサーバ２からのボイスメールの受信を完了すると、無線通信部２３にボイスメールサーバ２との間で通信回線を開放させる（ステップＴ５）。
【００３９】
次いで、制御部２２は、ボイスメールを再生する操作が操作受付部２７にて操作された旨を検出すると（ステップＴ６にて「ＹＥＳ」）、記憶部２８の受信記憶領域２８ａに記憶されているボイスメールを再生し（ステップＴ７）、音声出力部２５から音声を出力させる（ステップＴ８）。
【００４０】
これにより、ボイスメール端末２１を使用するユーザは、相手（ボイスメール端末１１を使用するユーザ）から送信されて受信された相手のボイスメールが再生されることで相手の音声を聞くことができる。
【００４１】
（２）ボイスメール端末２１がボイスメール端末１１から受信されたボイスメールをボイ
スメール端末１１に返信する場合
次に、「ボイスメール端末２１がボイスメール端末１１から受信されたボイスメールをボイスメール端末１１に返信する場合」について説明する。
【００４２】
ボイスメール端末２１において、制御部２２は、ボイスメール端末２１を使用するユーザから発せられた音声（図１では「音声（Ｂ）」）が音声入力部２４に入力された旨を検出すると（ステップＴ９にて「ＹＥＳ」）、その入力された音声を解析してボイスメール（図１では「ボイスメール（Ｂ）」）を作成する（ステップＴ１０）。そして、制御部２２は、その作成されたボイスメールを記憶部２８の送信記憶領域２８ｂに記憶させる（ステップＴ１１）。
【００４３】
次いで、制御部２２は、ボイスメールを返信する操作が操作受付部２７にて操作された旨を検出すると（ステップＴ１２にて「ＹＥＳ」）、無線通信部２３にボイスメールサーバ２との間で通信回線を確立させ（ステップＴ１３）、これよりも先にボイスメール端末１１から受信されて記憶部２８の受信記憶領域２８ａに記憶されているボイスメールに対して記憶部２８の送信記憶領域２８ｂに記憶されているボイスメールを付加し、そのボイスメールが付加されたボイスメールを無線通信部２３からボイスメールサーバ２に送信させる（ステップＴ１４）。そして、制御部２２は、ボイスメールのボイスメールサーバ２への送信を完了すると、記憶部２８の送信記憶領域２８ｂに記憶されているボイスメールを送信済み記憶領域２８ｃに転送させ（ステップＴ１５）、無線通信部２３にボイスメールサーバ２との間で通信回線を開放させる（ステップＴ１６）。
【００４４】
一方、ボイスメール端末１１において、制御部１２は、ボイスメールを受信する操作が操作受付部１７にて操作された旨を検出すると（ステップＳ９にて「ＹＥＳ」）、無線通信部１３にボイスメールサーバ２との間で通信回線を確立させ（ステップＳ１０）、ボイスメールサーバ２から自端末を宛先とするボイスメールを無線通信部１３に受信させ（ステップＳ１１）、その受信されたボイスメールを記憶部１８の受信記憶領域１８ａに記憶させる（ステップＳ１２）。そして、制御部１２は、ボイスメールサーバ２からのボイスメールの受信を完了すると、無線通信部１３にボイスメールサーバ２との間で通信回線を開放させる（ステップＳ１３）。
【００４５】
次いで、制御部１２は、ボイスメールを再生する操作が操作受付部１７にて操作された旨を検出すると（ステップＳ１４にて「ＹＥＳ」）、記憶部１８の受信記憶領域１８ａに記憶されているボイスメールを再生し（ステップＳ１５）、音声出力部１５から音声を出力させる（ステップＳ１６）。
【００４６】
これにより、ボイスメール端末１１を使用するユーザは、相手（ボイスメール端末２１を使用するユーザ）から返信されて受信された自分のボイスメールに付加された相手のボイスメールが再生されることで相手の音声を聞くことができると共に、相手から返信されて受信された自分のボイスメールが再生されることで自分の音声をも聞くことができる。
【００４７】
以上に説明したように第１の実施形態によれば、ボイスメールシステム１において、ボイスメール端末２１は、ボイスメール端末１１から送信されたボイスメール（Ａ）が受信されると、その受信されたボイスメール（Ａ）に対して自端末にて作成されたボイスメール（Ｂ）を付加し、そのボイスメール（Ｂ）が付加されたボイスメール（Ａ）をボイスメール端末１１に返信し、ボイスメール端末１１は、ボイスメール端末２１から返信されたボイスメール（Ａ）が受信されると、その受信されたボイスメール（Ａ）を再生して音声（Ａ）を出力すると共に、その受信されたボイスメール（Ａ）に付加されたボイスメール（Ｂ）を再生して音声（Ｂ）を出力するように構成した。
【００４８】
したがって、ボイスメール端末２１を使用するユーザは、相手のボイスメール（Ａ）に対して自分のボイスメール（Ｂ）を付加して相手のボイスメール（Ａ）をボイスメール端末１１に返信することができ、一方、ボイスメール端末１１を使用するユーザは、ボイスメール端末２１から返信されたボイスメール（Ａ）が受信されると、相手のボイスメール（Ｂ）が再生されることで相手の音声（Ｂ）を聞くことができると共に、自分のボイスメール（Ａ）が再生されることで自分の音声（Ａ）をも聞くことができる。これにより、ボイスメールシステムに通常の電子メールシステムにおける返信機能と同様の機能を持たせることができ、利便性を高めることができる。
【００４９】
そして、この場合、ボイスメール端末１１が、最初にボイスメール（Ａ）を再生し、続いてボイスメール（Ｂ）を再生する構成であれば、ボイスメール端末１１を使用するユーザは、最初に自分の音声を聞くことができ、続いて相手の音声を聞くことできる。これに対して、ボイスメール端末１１が、最初にボイスメール（Ｂ）を再生し、続いてボイスメール（Ａ）を再生する構成であれば、ボイスメール端末１１を使用するユーザは、最初に相手の音声を聞くことができ、続いて自分の音声を聞くことできる。
【００５０】
（第２の実施形態）
次に、本発明の第２の実施形態について、図４ないし図８を参照して説明する。尚、上記した第１の実施形態と同一部分については説明を省略し、異なる部分について説明する。この第２の実施形態は、本発明でいう請求項４ないし請求項６に対応し、上記した第１の実施形態と同様の構成である。
【００５１】
ボイスメールシステム３１は、ボイスメール端末４１と、ボイスメール端末５１と、ボイスメールサーバ２とを備えて構成されている。これ以降、ボイスメール端末４１を本発明の請求項４でいう第１のボイスメール端末（本発明の請求項６に記載したボイスメール端末）として説明し、ボイスメール端末５１を本発明の請求項４でいう第２のボイスメール端末（本発明の請求項５に記載したボイスメール端末）として説明する。
【００５２】
ボイスメール端末４１は、制御部４２（本発明でいう制御手段、ボイスメール作成手段）と、無線通信部４３（本発明でいうボイスメール送信手段、ボイスメール受信手段）と、音声入力部４４（本発明でいう音声入力手段）と、音声出力部４５（音声出力手段）と、表示部４６と、操作受付部４７と、記憶部４８とを備えて構成されている。これら各部４２〜４８は、上記した第１の実施形態で説明したボイスメール端末１１の各部１２〜１８に対応する。
【００５３】
ボイスメール端末５１は、制御部５２（本発明でいう制御手段、ボイスメール作成手段）と、無線通信部５３（本発明でいうボイスメール送信手段、ボイスメール受信手段）と、音声入力部５４（本発明でいう音声入力手段）と、音声出力部５５と、表示部５６と、操作受付部５７と、記憶部５８とを備えて構成されている。これら各部５２〜５８は、上記した第１の実施形態で説明したボイスメール端末２１の各部２２〜２８に対応する。
【００５４】
次に、上記した構成の作用について、図５ないし図８を参照して説明する。ここでは、
（１）ボイスメール端末４１がボイスメールをボイスメール端末５１に送信する場合
（２）ボイスメール端末５１がボイスメールをボイスメール端末４１に送信する場合
について順次説明する。ここで、図５は、ボイスメール端末４１の制御部４２が行う処理をフローチャートとして示しており、図６は、ボイスメール端末５１の制御部５２が行う処理をフローチャートとして示している。
【００５５】
（１）ボイスメール端末４１がボイスメールをボイスメール端末５１に送信する場合
最初に、「ボイスメール端末４１がボイスメールをボイスメール端末５１に送信する場合」について説明する。
【００５６】
ボイスメール端末４１において、制御部４２は、上記した第１の実施形態で説明したステップＳ１〜Ｓ５に相当するステップＳ２１〜Ｓ２５を実行すると、この第２の実施形態
では、記憶部４８の送信記憶領域４８ｂに記憶されているボイスメールに対して識別子を付加し、その識別子が付加されたボイスメールを無線通信部４３からボイスメールサーバ２に送信させる（ステップＳ２６）。そして、制御部４２は、上記した第１の実施形態で説明したステップＳ７，Ｓ８に相当するステップＳ２７，Ｓ２８を実行する。
【００５７】
一方、ボイスメール端末５１において、制御部５２は、上記した第１の実施形態で説明したステップＴ１〜Ｔ８に相当するステップＴ２１〜Ｔ２８を実行する。
【００５８】
これにより、ボイスメール端末５１を使用するユーザは、相手（ボイスメール端末４１を使用するユーザ）から送信されて受信されたボイスメールが再生されることで相手の音声を聞くことができる。
【００５９】
（２）ボイスメール端末５１がボイスメールをボイスメール端末４１に送信する場合
次に、「ボイスメール端末５１がボイスメールをボイスメール端末４１に送信する場合」について説明する。
【００６０】
ボイスメール端末５１において、制御部５２は、上記した第１の実施形態で説明したステップＴ９〜Ｔ１１に相当するステップＴ２９〜Ｔ３１を実行し、ボイスメールを送信する操作が操作受付部５７にて操作された旨を検出すると（ステップＴ３２にて「ＹＥＳ」）、無線通信部５３にボイスメールサーバ２との間で通信回線を確立させ（ステップＴ３３）、記憶部５８の送信記憶領域５８ａに記憶されているボイスメール、つまり、これから送信しようとするボイスメールと、記憶部５８の受信記憶領域５８ａに記憶されているボイスメール、つまり、ボイスメール端末４１から受信されたボイスメールとが関連するか否かを判定する（ステップＴ３４）。
【００６１】
この場合、ボイスメール端末５１を使用するユーザは、ボイスメール同士が関連するか否かを予め設定することが可能であり、つまり、例えばボイスメール端末４１から受信されたボイスメールに対する返事としてのボイスメールを送信したい場合であれば、関連する旨を設定し、ボイスメール端末４１から受信されたボイスメールとは何ら関係のないボイスメールを送信したい場合であれば、関連しない旨を設定すれば良い。すなわち、ボイスメール端末５１を使用するユーザは、通常の電子メールシステムにおける「新規作成」および「返信」のいずれかを選択すれば良い。
【００６２】
ここで、制御部５２は、ボイスメール同士が関連する旨を検出すると（ステップＴ３４にて「ＹＥＳ」）、記憶部５８の送信記憶領域５８ｂに記憶されているボイスメールに対してボイスメール端末４１から受信されたボイスメールに付加された識別子と同一の識別子を付加し、その識別子が付加されたボイスメールを無線通信部５３からボイスメールサーバ２に送信させる（ステップＴ３５）。これに対して、制御部５２は、ボイスメール同士が関連しない旨を検出すると（ステップＴ３４にて「ＮＯ」）、記憶部５８の送信記憶領域５８ｂに記憶されているボイスメールに対して新規な識別子を付加し、その識別子が付加されたボイスメールを無線通信部５３からボイスメールサーバ２に送信させる（ステップＴ３６）。そして、制御部５２は、上記した第１の実施形態で説明したステップＴ１５，Ｔ１６に相当するステップＴ３７，Ｔ３８を実行する。
【００６３】
一方、ボイスメール端末４１において、制御部４２は、上記した第１の実施形態で説明したステップＳ９〜Ｓ１４に相当するステップＳ２９〜Ｓ３４を実行すると、ボイスメール端末５１から受信されたボイスメールに付加された識別子を解読し、ボイスメール端末５１に送信されたボイスメールに付加された識別子と、ボイスメール端末５１から受信されたボイスメールに付加された識別子とが同一であるか否かを判定する（ステップＳ３５）。
【００６４】
ここで、制御部４２は、両者の識別子が同一である旨を検出すると（ステップＳ３５にて「ＹＥＳ」）、記憶部４８の送信済み記憶領域４８ｃに記憶されているボイスメールを再生し（ステップＳ３６）、音声出力部４５から音声を出力させ（ステップＳ３７）、記憶部４８の受信記憶領域４８ａに記憶されているボイスメールを再生し（ステップＳ３８）、音声出力部４５から音声を出力させる（ステップＳ３９）。
【００６５】
これにより、ボイスメール端末４１を使用するユーザは、相手（ボイスメール端末５１を使用するユーザ）から送信されて受信されたボイスメールが再生されることで相手の音声を聞くことができると共に、相手に送信されたボイスメールが再生されることで自分の音声をも聞くことができる。
【００６６】
これに対して、制御部４２は、両者の識別子が同一でない旨を検出すると（ステップＳ３５にて「ＮＯ」）、送信済み記憶領域４８ｃに記憶されているボイスメールを再生することなく、記憶部４８の受信記憶領域４８ａに記憶されているボイスメールを再生し（ステップＳ４０）、音声出力部４５から音声を出力させる（ステップＳ４１）。
【００６７】
以上に説明したように第２の実施形態によれば、ボイスメールシステム３１において、ボイスメール端末５１は、ボイスメール端末４１から送信されたボイスメール（Ａ）が受信されると、自端末にて作成されたボイスメール（Ｂ）に対してボイスメール端末４１から受信されたボイスメール（Ａ）に付加された識別子と同一の識別子を付加してボイスメール（Ｂ）をボイスメール端末４１に送信し、ボイスメール端末４１は、ボイスメール端末５１から送信されたボイスメール（Ｂ）が受信されると、その受信されたボイスメール（Ｂ）に付加された識別子と自端末にて作成されてボイスメール端末５１に送信されたボイスメール（Ａ）に付加された識別子とが同一であると、ボイスメール（Ａ）を再生して音声（Ａ）を出力すると共に、ボイスメール（Ｂ）を再生して音声（Ｂ）を出力するように構成した。
【００６８】
したがって、ボイスメール端末５１を使用するユーザは、ボイスメール端末４１から送信されたボイスメール（Ａ）が受信されると、自分のボイスメール（Ｂ）に対して相手のボイスメール（Ａ）に付加された識別子と同一の識別子を付加してボイスメール（Ｂ）を送信することができ、一方、ボイスメール端末４１を使用するユーザは、ボイスメール端末５１から送信されたボイスメール（Ｂ）が受信されると、その受信された相手のボイスメール（Ｂ）に付加された識別子と自分のボイスメール（Ａ）に付加された識別子とが同一であれば、相手のボイスメール（Ｂ）が再生されることで相手の音声（Ｂ）を聞くことができると共に、自分のボイスメール（Ａ）が再生されることで自分の音声（Ａ）をも聞くことができる。これにより、上記した第１の実施形態に記載したものと同様の作用効果を得ることができ、利便性を高めることができる。
【００６９】
そして、この場合も、ボイスメール端末４１が、最初にボイスメール（Ａ）を再生し、続いてボイスメール（Ｂ）を再生する構成であれば、ボイスメール端末４１を使用するユーザは、最初に自分の音声を聞くことができ、続いて相手の音声を聞くことでき、これに対して、ボイスメール端末４１が、最初にボイスメール（Ｂ）を再生し、続いてボイスメール（Ａ）を再生する構成であれば、ボイスメール端末４１を使用するユーザは、最初に相手の音声を聞くことができ、続いて自分の音声を聞くことできる。
【００７０】
また、特に、第２の実施形態によれば、上記した第１の実施形態と比較すると、このような識別子を採用することにより、ボイスメール端末４１，５１間で送受信されるボイスメールのデータ量を１個のボイスメールのデータ量分で済ませることができるので、ボイスメール端末４１，５１間でボイスメールを送受信するときの通信時間を削減することができると共に、通信コストが通信時間やデータ量に応じて課金される課金制度の下では、通信コストをも削減することができる。
【００７１】
ところで、図７に示すように、２個のボイスメール端末４１，５１間では、それらボイスメール端末４１，５１間で送受信されるボイスメールに対して常に同一の識別子を付加することにより、上記した処理を繰返して実行することが可能である。また、図８に示すように、３個のボイスメール端末４１，５１，６１間でも（三者通話を行う場合でも）、それらボイスメール端末４１，５１，６１間で送受信されるボイスメールに対して常に同一の識別子を付加することにより、上記した処理を繰返して実行することが可能である。
【００７２】
（第３の実施形態）
次に、本発明の第３の実施形態について、図９ないし図１１を参照して説明する。尚、上記した第１の実施形態と同一部分については説明を省略し、異なる部分について説明する。この第３の実施形態は、本発明でいう請求項７ないし請求項９に対応し、上記した第１の実施形態と同様の構成である。
【００７３】
ボイスメールシステム７１は、ボイスメール端末８１と、ボイスメール端末９１と、ボイスメールサーバ２とを備えて構成されている。これ以降、ボイスメール端末８１を本発明の請求項７でいう第１のボイスメール端末（本発明の請求項８に記載したボイスメール端末）として説明し、ボイスメール端末９１を本発明の請求項７でいう第２のボイスメール端末（本発明の請求項９に記載したボイスメール端末）として説明する。
【００７４】
ボイスメール端末８１は、制御部８２（本発明でいう制御手段、ボイスメール作成手段）と、無線通信部８３（本発明でいうボイスメール送信手段）と、音声入力部８４（本発明でいう音声入力手段）と、音声出力部８５と、表示部８６と、操作受付部８７と、記憶部８８とを備えて構成されている。これら各部８２〜８８は、上記した第１の実施形態で説明したボイスメール端末１１の各部１２〜１８に対応する。
【００７５】
ボイスメール端末９１は、制御部９２（本発明でいう制御手段）と、無線通信部９３（本発明でいうボイスメール受信手段）と、音声入力部９４と、音声出力部９５（本発明でいう音声出力手段、音楽出力手段）と、表示部９６と、操作受付部９７と、記憶部９８とを備えて構成されている。これら各部９２〜９８は、上記した第１の実施形態で説明したボイスメール端末２１の各部２２〜２８に対応する。
【００７６】
次に、上記した構成の作用について、図１０および図１１を参照して説明する。ここでは、ボイスメール端末８１がボイスメールをボイスメール端末９１に送信する場合について説明する。ここで、図１０は、ボイスメール端末８１の制御部８２が行う処理をフローチャートとして示しており、図１１は、ボイスメール端末９１の制御部９２が行う処理をフローチャートとして示している。
【００７７】
ボイスメール端末８１において、制御部８２は、上記した第１の実施形態で説明したステップＳ１〜Ｓ５に相当するステップＳ４１〜Ｓ４５を実行すると、この第３の実施形態では、記憶部８８の送信記憶領域８８ｂに記憶されているボイスメールに対して音楽データを付加し、その音楽データが付加されたボイスメールを無線通信部８３からボイスメールサーバ２に送信させる（ステップＳ４６）。そして、制御部８２は、上記した第１の実施形態で説明したステップＳ７，Ｓ８に相当するステップＳ４７，Ｓ４８を実行する。
【００７８】
これにより、ボイスメール端末８１を使用するユーザは、ボイスメールに対して好みの音楽データを付加してボイスメールを相手（ボイスメール端末９１を使用するユーザ）に送信することができる。
【００７９】
一方、ボイスメール端末９１において、制御部９２は、上記した第１の実施形態で説明したステップＴ１〜Ｔ６に相当するステップＴ４１〜Ｔ４６を実行すると、記憶部９８の受信記憶領域９８ａに記憶されているボイスメールに付加された音楽データを再生し（ステップＴ４７）、音声出力部９５から音楽を出力させ（ステップＴ４８）、記憶部９８の受信記憶領域９８ａに記憶されているボイスメールを再生し（ステップＴ４９）、音声出力部９５から音声を出力させる（ステップＴ５０）。
【００８０】
これにより、ボイスメール端末９１を使用するユーザは、相手（ボイスメール端末８１を使用するユーザ）から送信されて受信されたボイスメールが再生されることで相手の音声を聞くことができると共に、その受信されたボイスメールに付加された音楽データが再生されることで音楽をも聞くことができる。
【００８１】
以上に説明したように第３の実施形態によれば、ボイスメールシステム７１において、ボイスメール端末８１は、ボイスメールに対して音楽データを付加してボイスメールをボイスメール端末９１に送信し、ボイスメール端末９１は、ボイスメール端末８１から送信されたボイスメールが受信されると、その受信されたボイスメールに付加された音楽データを再生して音楽を出力すると共に、その受信されたボイスメールを再生して音声を出力するように構成した。
【００８２】
したがって、ボイスメール端末８１を使用するユーザは、ボイスメールに対して好みの音楽データを付加してボイスメールを送信することができ、一方、ボイスメール端末９１を使用するユーザは、相手からボイスメールが受信されると、その受信されたボイスメールが再生されることで音声を聞くことができると共に、ボイスメールに付加された音楽データが再生されることで音楽をも聞くことができる。これにより、ボイスメールに付加価値を持たせることができ、利便性を高めることができる。
【００８３】
そして、この場合、ボイスメール端末９１が、最初に音楽データを再生し、続いてボイスメールを再生する構成であれば、ボイスメール端末８１を使用するユーザは、ボイスメールの発信元（送信者）が自分である旨を音楽で相手に知らせることができる。
【００８４】
（その他の実施形態）
本発明は、上記した実施形態にのみ限定されるものではなく、以下のように変形または拡張することができる。
【００８５】
第１の実施形態、第２の実施形態および第３の実施形態を組合わせた構成であっても良い。具体的には、例えば第１の実施形態と第３の実施形態とを組合わせた構成では、ボイスメールと共に音楽データを付加してボイスメールを返信する構成であっても良い。また、例えば第２の実施形態と第３の実施形態とを組合わせた構成では、識別子と共に音楽データを付加してボイスメールを送信する構成であっても良い。
【００８６】
第３の実施形態において、図１２に示すように、音楽データを再生するタイミングを示す再生識別子をボイスメールに対して付加し、音楽データを再生するタイミングを制御する構成であっても良い。つまり、再生識別子を２ビットで規定することにより、ボイスメール端末９１では、ボイスメール端末８１からボイスメールが受信されると、再生識別子が「０１」であれば、音楽データをオープニング（プロローグ）として再生し、再生識別子が「１０」であれば、音楽データをバックグランドとして再生し、再生識別子が「１１」であれば、音楽データをエンディング（エピローグ）として再生する構成であっても良い。
【００８７】
第３の実施形態において、音楽データは、例えば音楽提供サーバからネットワークを通じてダウンロードされたものであっても良いし、ユーザが自分で作成したものであっても良い。
ボイスメールを送信する手順やボイスメールを受信する手順は、他の手順であっても良い。
【図面の簡単な説明】
【００８８】
【図１】本発明の第１の実施形態の全体構成を概略的に示す図
【図２】ボイスメール端末が行う処理を示すフローチャート
【図３】図２相当図
【図４】本発明の第２の実施形態の全体構成を概略的に示す図
【図５】図２相当図
【図６】図２相当図
【図７】２個のボイスメール端末間でボイスメールを送受信する態様を概略的に示す図
【図８】３個のボイスメール端末間でボイスメールを送受信する態様を概略的に示す図
【図９】本発明の第３の実施形態の全体構成を概略的に示す図
【図１０】図２相当図
【図１１】図２相当図
【図１２】その他の実施形態を概略的に示す図
【符号の説明】
【００８９】
図面中、１はボイスメールシステム、１１はボイスメール端末（第１のボイスメール端末）、１２は制御部（制御手段、ボイスメール作成手段）、１３は無線通信部（ボイスメール送信手段、ボイスメール受信手段）、１４は音声入力部（音声入力手段）、１５は音声出力部（音声出力手段）、２１はボイスメール端末（第２のボイスメール端末）、２２は制御部（制御手段、ボイスメール作成手段）、２３は無線通信部（ボイスメール返信手段、ボイスメール受信手段）、２４は音声入力部（音声入力手段）、３１はボイスメールシステム、４１はボイスメール端末（第１のボイスメール端末）、４２は制御部（制御手段、ボイスメール作成手段）、４３は無線通信部（ボイスメール送信手段、ボイスメール受信手段）、４４は音声入力部（音声入力手段）、４５は音声出力部（音声出力手段）、
５１はボイスメール端末（第２のボイスメール端末）、５２は制御部（制御手段、ボイスメール作成手段）、５３は無線通信部（ボイスメール送信手段、ボイスメール受信手段）、５４は音声入力部（音声入力手段）、６１はボイスメール端末、７１はボイスメールシステム、８１はボイスメール端末（第１のボイスメール端末）、８２は制御部（制御手段、ボイスメール作成手段）、８３は無線通信部（ボイスメール送信手段）、８４は音声入力部（音声入力手段）、９１はボイスメール端末（第２のボイスメール端末）、９２は制御部（制御手段）、９３は無線通信部（ボイスメール受信手段）、９５は音声出力部（音声出力手段、音楽出力手段）である。
【図１】
2005073046.tif 000003
【図２】
2005073046.tif 000004
【図３】
2005073046.tif 000005
【図４】
2005073046.tif 000006
【図５】
2005073046.tif 000007
【図６】
2005073046.tif 000008
【図７】
2005073046.tif 000009
【図８】
2005073046.tif 000010
【図９】
2005073046.tif 000011
【図１０】
2005073046.tif 000012
【図１１】
2005073046.tif 000013
【図１２】
2005073046.tif 000014